(57)【要約】【課題】ドレンタンク引き出し時のドレン水のこぼれを防止する。【解決手段】枠体内の仕切板によって隔てられた一方に圧縮機を収納する機械室を、他方にドレンタンク９を収納するタンク室を設け、ドレンパン等で隔てられた前記機械室、タンク室の上方に蒸発器と凝縮器と送風ファンを備え、吸込口と蒸発器、凝縮器、送風ファン、吹出口を連通して送風経路を形成した除湿機に於いて、前記ドレンタンク９は水平方向に着脱可能とし、このドレンタンク９の背面壁１１の上部内面に樹脂発泡材又はスポンジ状の水跳ね防止部材１２を取付けるようにしたものである。【選択図】図２
2005125269.tif 000002
【特許請求の範囲】
【請求項１】
枠体内の仕切板によって隔てられた一方に圧縮機を収納する機械室を、他方にドレンタンクを収納するタンク室を設け、ドレンパン等で隔てられた前記機械室、タンク室の上方に蒸発器と凝縮器と送風ファンを備え、吸込口と蒸発器、凝縮器、送風ファン、吹出口を連通して送風経路を形成した除湿機に於いて、前記ドレンタンクは水平方向に着脱可能とし、このドレンタンクの背面壁の上部内面に樹脂発泡材又はスポンジ状の水跳ね防止部材を取付けた事を特徴とする除湿機。
【請求項２】
前記ドレンタンクの背面は中央を凹ませて両側を凸部とし、その一方の凸部にはタンクの満水を検知するフロート備え、他方の凸部にのみ前記水跳ね防止部材を取付けた事を特徴とする請求項１記載の除湿機。
【発明の詳細な説明】
【技術分野】
【０００１】
この発明は、一般家庭で使用される小型の除湿機に関するものである。
【背景技術】
【０００２】
従来一般家庭で使用される除湿機は、枠体下部にドレンタンクを備え、除湿運転で発生したドレン水を溜め、このドレンタンクが満水になることで運転を停止し、ドレンタンク内に溜まったドレン水を捨てるにはドレンタンクを除湿機側面より引き出す必要があり、この引き出し時にドレンタンク後方にドレン水がこぼれたり、水跳ねでタンク室内だけでなく床面をドレン水で汚す危険が有った。
これを防止するために、ドレンタンクの上面に蓋が取り付けられているものが多かった。（例えば、特許文献１参照）
また近年の家電製品の低価格化のために販売価格の低下に対応するために、コストダウンが必要なものだった。
【特許文献１】特開平１３−６５９１９号公報
【発明の開示】
【発明が解決しようとする課題】
【０００３】
しかしながら、蓋を廃止してコストダウンを図り、且つドレン水がこぼれたり水跳ねを防止するにはタンク水面の水位をタンクの背面側壁の高さよりも低く抑える必要があるが、水位を低くすれば、ドレンタンクの容量が減ってしまい、頻繁にドレン水を捨てる作業が必要になる問題が有った。
またこの従来の除湿機では、水捨て時に蓋を脱着する必要があり煩わしいものであった。
【課題を解決するための手段】
【０００４】
この発明はこの点に着目し上記欠点を解決する為、枠体内の仕切板によって隔てられた一方に圧縮機を収納する機械室を、他方にドレンタンクを収納するタンク室を設け、ドレンパン等で隔てられた前記機械室、タンク室の上方に蒸発器と凝縮器と送風ファンを備え、吸込口と蒸発器、凝縮器、送風ファン、吹出口を連通して送風経路を形成した除湿機に於いて、前記ドレンタンクは水平方向に着脱可能とし、このドレンタンクの背面壁の上部内面に樹脂発泡材又はスポンジ状の水跳ね防止部材を取付けたものである。
【０００５】
また前記ドレンタンクの背面は中央を凹ませて両側を凸部とし、その一方の凸部にはタンクの満水を検知するフロート備え、他方の凸部にのみ前記水跳ね防止部材を取付けるようにしたものである。
【発明の効果】
【０００６】
この発明によれば、樹脂発泡材又はスポンジ状の水跳ね防止部材を取付けるだけなので安価にドレン水のこぼれや水跳ねを防止できるものである。
また樹脂発泡材又はスポンジ状の水跳ね防止部材の柔軟性により、ドレン水の水面の垂直方向の揺動だけでなく、水平方向の動きも和らげることができ、ドレン水のこぼれや水跳ねを防止する効果が大きいものである。
また水捨て作業時に蓋の脱着をする必要が無くなり、水捨て作業が極めて簡単になると共に、ドレンタンクの満水容量を充分確保する事ができるものである。
またドレンタンクの一方の凸部はフロートを配置する事で、このフロートが水面の揺動を抑制し、他方の凸部にのみ前記水跳ね防止部材を取付ける事でよりコストダウンが可能となるものである。
【発明を実施するための最良の形態】
【０００７】
樹脂発泡材又はスポンジ状の水跳ね防止部材をドレンタンクの背面壁の上部内面に取付けるだけで極めて安価にドレン水のこぼれや水跳ねを防止し、水捨て時の取り扱いも容易にする事ができた。
【実施例１】
【０００８】
この発明の除湿機を図面に示した一実施例で説明すれば、１は除湿機の枠体で平面縦長で後部から前部に向かうに従ってその幅寸法が徐々に広くなる形状の底板２上の外周形状に沿って上方に形成され左右が略対称の左枠体３と右枠体４とを設けて本体の外郭を構成している。
【０００９】
５は前記底板２の前後方向の略中央に垂直に取付けられ、前後方向に隔てる仕切板で、この仕切板５の後方には機械室６を、前方にはタンク室７を設け、前記機械室６の左右対称線上に圧縮機８が、タンク室７には前方に引き出して着脱自在のドレンタンク９を備えている。
【００１０】
前記ドレンタンク９の背面は左右にそれぞれ突出し、左側凸部１０のドレンタンク９の引き出し方向に直交する背面壁１１の内側には、断熱材等で使用される樹脂発泡材等のスポンジ状で柔軟性のある水跳ね防止部材１２を両面テープ又は接着剤等で貼り付けられ、ドレンタンク９の引き出し時に左側凸部１０からドレン水がこぼれる事を防止している。
【００１１】
前記ドレンタンク９の右側凸部１３には、満水時に浮き上がる動作をマイクロスイッチ（図示せず）に伝えて除湿機の運転を停止すると共に表示を行う満水検知装置（図示せず）の、満水検知用のフロート１４を設けているが、このフロート１４の作用で満水時ドレンタンク９を引き出す際に発生する水面の揺動をフロート１４で抑制する作用をするために、右側凸部１３の背面壁１５には前記水跳ね防止部材１２を必要としないものである。
【００１２】
また前記左側凸部１０と右側凸部１３の中間の背面壁１６は左右の凸部１０・１３の背面壁１１・１５に比べてタンク前面１７からの距離が約半分位で短いために、タンク９引き出し時の水面の揺動による水面の高さが凸部１０・１３の背面壁１１・１５での高さに比べて低く抑えられるために、水跳ね防止部材１２は必要ないものである。
【００１３】
またタンク前面１７下部にはタンク９を前面に引き出すため手を挿入する取手用凹部１８を備えている。
またタンク前面１７中央にはドレン水の水位を測るための目印となる突起１９を備えている。
【００１４】
２０は前記左枠体３に上部に形成された吸込口で、横長のスリットを多数備えた開口が設けられ、左枠体３の側面は左斜め後方に向いているので、正面からは吸込口２０が隠れてほとんど見えないものである。
２１は前記右枠体４の上面に設けた吹出口で、開いた時に風向板を兼ねる開閉自在の蓋２２によって乾燥空気の吹出方向を右斜め上方向から水平方向に自由にかえることができるものである。
【００１５】
前記吸込口２０の内側には樹脂製の網や不織布からなり、吸入空気に混入するホコリを取り除くフィルタ（図示せず）をそなえている。このフィルタの内側にはフィンチューブ式の熱交換器からなる蒸発器２３と、蒸発器２３の更に下流には、同じくフィンチューブ式の熱交換器からなる凝縮器２４を設け、この凝縮器２４の下流には送風ファン２５及びこのファン２５を駆動するファンモータ２６が設けられ、前記吸込口２０と吹出口２１の間に形成した送風経路２７の送風を行うものである。
【００１６】
前記凝縮器２４とファンモータ２６の間には、樹脂材料で一体成型された熱交固定部材２９を設け、この熱交固定部材２９は前記モータ２６を取付けると共に送風ファン２５の吸入口２８を備えたファンガイド部３０と、前記蒸発器２３と凝縮器２４のフィンの上面や銅管を固定する上部固定部３１と、蒸発器２３で発生した結露水を受けるドレンパン部３２を一体に成形し、前記ファンガイド部３０と上部固定部３１の間と、ファンガイド部３０とドレンパン部３２の間に、折曲可能な肉薄部３３を形成し、この肉薄部３３を中心にして約９０度の角度で折り曲げて、蒸発器２３と凝縮器２４を挟み込み固定するものである。
【００１７】
３４はモータ取付部で、前記吸入口２８より立設される足の間を吸込空気が通過するものである。
３５は前記上部固定部３１の左右に突出する上固定片で、前記蒸発器２３、凝縮器２４の銅管等の上部を押さえるものである。
３６は前記ドレンパン部３２の左右に突出する下固定片で、前記蒸発器２３、凝縮器２４の銅管等の下部を押さえるものである。
【００１８】
前記ファンガイド部３０の下部にはネジ穴用凸部３７を、折曲状態でこの凸部３７に対向するドレンパン部３２にはネジ穴３８を備え、ファンガイド部３０とドレンパン部３２の折曲状態をネジ３９にて保持する固定手段を備えるものである。
又前記上部固定部３１の下部には爪部４０を、折曲状態でこの爪部４０が係止する、溝又は突起４１をファンガイド部３０の上部に設ける係止手段を備えるものである。
【００１９】
前記圧縮機８は凝縮器２４とキャピラリーチューブ等の減圧装置（図示せず）と蒸発器２３を冷媒配管で連通して、圧縮機８の運転により凝縮器２４は高温になり、蒸発器２３は低温になるものである。
【００２０】
前記ドレンタンク９は枠体１の左右両側面間の寸法を後部より前方に向かうに従って幅広に形成し、前面下部に大きな容積で設ける。また、前記ドレンタンク９は下部前面で前面穴４２に着脱自在に設けられ、ドレンタンク９装着時に前記ドレンパン部３２の排水口４３から排水される結露水を溜めるものである。
【００２１】
４４は枠体１上面の操作部で運転ボタン４５、タイマーボタン４６、運転コース選択ボタン４７等のボタン類を備え、前記枠体１の左右両側面間の寸法を後部より前方に向かうに従って幅広に形成し、ドレンタンク９上方の広い上面に設けたので、とても見やすく操作がしやすいものである。
４８は前記枠体１上面のやや後部側で左右枠体３・４の接合に設けた取手部で、一番重い部品である前記圧縮機８の上方に設けられ、持ち運び時にバランス良く除湿機を持ち運べるものである。
【００２２】
このようにすることで、樹脂発泡材又はスポンジ状の水跳ね防止部材１２を取付けるだけなので安価にドレン水のこぼれや水跳ねを防止できるものである。
また樹脂発泡材又はスポンジ状の水跳ね防止部材１２の柔軟性により、ドレン水の水面の垂直方向の揺動だけでなく、水平方向の動きも和らげることができ、ドレン水のこぼれや水跳ねを防止する効果が大きいものである。
また水捨て作業時に蓋の脱着をする必要が無くなり、水捨て作業が極めて簡単になると共に、ドレンタンクの満水容量を充分確保する事ができるものである。
【００２３】
またドレンタンクの一方の凸部はフロート１４を配置する事で、このフロート１４が水面の揺動を抑制し、他方の凸部にのみ前記水跳ね防止部材１２を取付ける事でよりコストダウンが可能となるものである。
また小型の除湿機であってもドレンタンク９を比較的大きく形成する事ができると共に、ドレンタンク９が枠表面に露出する面積が大きくなり、ドレンタンク９内の水位を確認する事が極めて容易になるものである。
また、正面からは側面の吸込口が見えなくなりデザイン性も向上するものである。
【図面の簡単な説明】
【００２４】
【図１】この発明一実施例の斜視図。
【図２】同要部の斜視図。
【図３】同分解状態の斜視図。
【図４】同平面の拡大断面図。
【図５】同正面中央の拡大断面図。
【符号の説明】
【００２５】
１    枠体
２    底板
３    左枠体
４    右枠体
５    仕切板
６    機械室
７    タンク室
８    圧縮機
９    ドレンタンク
１０    左側凸部
１２    水跳ね防止部材
１３    右側凸部
１４    フロート
【図１】
2005125269.tif 000003
【図２】
2005125269.tif 000004
【図３】
2005125269.tif 000005
【図４】
2005125269.tif 000006
【図５】
2005125269.tif 000007